(57)【要約】【課題】ファクシミリ送信者が送信相手に送信した送信画像を受信側で記録媒体に記録し、この記録した記録媒体に送信相手が回答を記入し、この記入された回答用紙を原稿として送信相手が返信する場合、煩雑な操作を必要とせず、しかも、誤ダイヤルを未然に防ぐことができるファクシミリ装置およびファクシミリ装置の制御方法を提供することを目的とするものである。【解決手段】ファクシミリ送信時に、操作手段を介して、入力された返信先情報を、二次元コード生成手段に二次元コード化させ、また、読取手段が得た画像情報に、返信先情報を示す二次元コードの画像情報を画像合成手段が合成した画像を、相手先端末にファクシミリ送信する制御手段を有することを特徴とするファクシミリ装置である。【選択図】図２
2007150788.tif 000002
【特許請求の範囲】
【請求項１】
電話回線を介してファクシミリ通信を行うためのファクシミリ通信手段と、ファクシミリ装置に各種指示を行うための操作手段と、画像データまたはファクシミリ装置の各種設定情報を記憶する記憶手段と、原稿の画像情報を読み取る読取手段と、画像データに基づいて記録媒体に画像を形成する記録手段と、二次元コードを生成する二次元コード生成手段と、二次元コードを解析する二次元コード解析手段と、上記読取手段によって得られた画像情報に、二次元コードの画像情報を合成する画像合成手段とを具備するファクシミリ装置において、
ファクシミリ送信時に、上記操作手段を介して、入力された返信先情報を、上記二次元コード生成手段に二次元コード化させ、また、上記読取手段が得た画像情報に、上記返信先情報を示す二次元コードの画像情報を上記画像合成手段が合成した画像を、相手先端末にファクシミリ送信する制御手段を有することを特徴とするファクシミリ装置。
【請求項２】
電話回線を介してファクシミリ通信を行うためのファクシミリ通信手段と、ファクシミリ装置に各種指示を行うための操作手段と、画像データまたはファクシミリ装置の各種設定情報を蓄積する記憶手段と、原稿の画像情報を読み取る読取手段と、画像データに基づいて記録媒体に画像を形成する記録手段と、二次元コードを生成する二次元コード生成手段と、二次元コードを解析する二次元コード解析手段と、上記読取手段によって得られた画像情報に、二次元コードの画像情報を合成する画像合成手段とを具備するファクシミリ装置において、
ファクシミリ送信時に、送信原稿に付加されている送信先情報の二次元コードを、上記二次元コード解析手段に解析させ、また、上記解析された送信先ファクシミリ番号に基づいて、相手先端末にファクシミリ送信する制御手段を有することを特徴とするファクシミリ装置。
【請求項３】
電話回線を介してファクシミリ通信を行うファクシミリ通信手段と、ファクシミリ装置に各種指示を行うための操作手段と、画像データまたはファクシミリ装置の各種設定情報を蓄積する記憶手段と、原稿の画像情報を読み取る読取手段と、画像データに基づいて記録媒体に画像を形成する記録手段と、二次元コードを生成する二次元コード生成手段と、二次元コードを解析する二次元コード解析手段と、上記読取手段が得た画像情報に、二次元コードの画像情報を合成する画像合成手段とを具備するファクシミリ装置において、
ファクシミリ送信時に、ファクシミリ通信手順において、相手先端末に返信してもらう際の返信先情報を示す画像と送信画像とに、返信先情報の二次元コードの画像とを合成する旨を示す情報を送信する制御手段を有することを特徴とするファクシミリ装置。
【請求項４】
電話回線を介してファクシミリ通信を行うためのファクシミリ通信手段と、ファクシミリ装置に各種指示を行うための操作手段と、画像データまたはファクシミリ装置の各種設定情報を蓄積する記憶手段と、原稿の画像情報を読み取る読取手段と、画像データに基づいて記録媒体に画像を形成する記録手段と、二次元コードを生成する二次元コード生成手段と、二次元コードを解析する二次元コード解析手段と、上記読取手段によって得られた画像情報に、二次元コードの画像情報を合成する画像合成手段とを有するファクシミリ装置において、
ファクシミリ受信時に、ファクシミリ通信手順において、返信先情報と受信画像とに返信先情報の二次元コードの画像を合成する旨を示す情報を受信した場合、上記二次元コード生成手段に返信先情報の二次元コードを生成させ、また、上記返信先情報の二次元コードの画像情報を、受信した画像情報に画像合成手段が合成した画像を、記録手段に、記録媒体に記録させる制御手段を有することを特徴とするファクシミリ装置。
【請求項５】
電話回線を介してファクシミリ通信を行うためのファクシミリ通信手段と、ファクシミリ装置に各種指示を行うための操作手段と、画像データまたはファクシミリ装置の各種設定情報を記憶する記憶手段と、原稿の画像情報を読み取る読取手段と、画像データに基づいて記録媒体に画像を形成する記録手段と、二次元コードを生成する二次元コード生成手段と、二次元コードを解析する二次元コード解析手段と、上記読取手段によって得られた画像情報に、二次元コードの画像情報を合成する画像合成手段とを具備するファクシミリ装置の制御方法において、
ファクシミリ送信時に、上記操作手段を介して、入力された返信先情報を、上記二次元コード生成手段に二次元コード化させ、また、上記読取手段が得た画像情報に、上記返信先情報を示す二次元コードの画像情報を上記画像合成手段が合成した画像を、相手先端末にファクシミリ送信する制御工程を有することを特徴とするファクシミリ装置の制御方法。
【請求項６】
電話回線を介してファクシミリ通信を行うためのファクシミリ通信手段と、ファクシミリ装置に各種指示を行うための操作手段と、画像データまたはファクシミリ装置の各種設定情報を蓄積する記憶手段と、原稿の画像情報を読み取る読取手段と、画像データに基づいて記録媒体に画像を形成する記録手段と、二次元コードを生成する二次元コード生成手段と、二次元コードを解析する二次元コード解析手段と、上記読取手段によって得られた画像情報に、二次元コードの画像情報を合成する画像合成手段とを具備するファクシミリ装置の制御方法において、
ファクシミリ送信時に、送信原稿に付加されている送信先情報の二次元コードを、上記二次元コード解析手段に解析させ、また、上記解析された送信先ファクシミリ番号に基づいて、相手先端末にファクシミリ送信する制御工程を有することを特徴とするファクシミリ装置の制御方法。
【請求項７】
電話回線を介してファクシミリ通信を行うファクシミリ通信手段と、ファクシミリ装置に各種指示を行うための操作手段と、画像データまたはファクシミリ装置の各種設定情報を蓄積する記憶手段と、原稿の画像情報を読み取る読取手段と、画像データに基づいて記録媒体に画像を形成する記録手段と、二次元コードを生成する二次元コード生成手段と、二次元コードを解析する二次元コード解析手段と、上記読取手段が得た画像情報に、二次元コードの画像情報を合成する画像合成手段とを具備するファクシミリ装置の制御方法において、
ファクシミリ送信時に、ファクシミリ通信手順において、相手先端末に返信してもらう際の返信先情報を示す画像と送信画像とに、返信先情報の二次元コードの画像とを合成する旨を示す情報を送信する制御工程を有することを特徴とするファクシミリ装置の制御方法。
【請求項８】
電話回線を介してファクシミリ通信を行うためのファクシミリ通信手段と、ファクシミリ装置に各種指示を行うための操作手段と、画像データまたはファクシミリ装置の各種設定情報を蓄積する記憶手段と、原稿の画像情報を読み取る読取手段と、画像データに基づいて記録媒体に画像を形成する記録手段と、二次元コードを生成する二次元コード生成手段と、二次元コードを解析する二次元コード解析手段と、上記読取手段によって得られた画像情報に、二次元コードの画像情報を合成する画像合成手段とを有するファクシミリ装置の制御方法において、
ファクシミリ受信時に、ファクシミリ通信手順において、返信先情報と受信画像とに返信先情報の二次元コードの画像を合成する旨を示す情報を受信した場合、上記二次元コード生成手段に返信先情報の二次元コードを生成させ、また、上記返信先情報の二次元コードの画像情報を、受信した画像情報に画像合成手段が合成した画像を、記録手段に、記録媒体に記録させる制御工程を有することを特徴とするファクシミリ装置の制御方法。
【発明の詳細な説明】
【技術分野】
【０００１】
本発明は、普通紙印刷が可能なファクシミリ装置およびその制御方法に関する。
【背景技術】
【０００２】
現在、市販されているファクシミリ装置の多くは、ファクシミリ受信した画像を形成する記録媒体として普通紙を利用している。これによって、ファクシミリ装置のユーザは、ファクシミリ受信した画像を印刷した記録媒体をそのまま保管し、また、上記記録媒体に対して、直接手書きによって必要な情報を書き入れることができ、利便性がよい。
【０００３】
送信原稿を、プリンタを使ってパソコンから印刷する際に、送信先の電話番号データのバーコードを、余白に印刷し、ファクシミリ送信時に、上記バーコードを読み取り、所望の送信先にファクシミリ送信する装置が知られている（たとえば、特許文献１参照）。
【特許文献１】特開平１１−０１７８４９号公報
【発明の開示】
【発明が解決しようとする課題】
【０００４】
たとえば、あるお店が顧客にアンケートをとりたいと考え、お店から顧客に向けてアンケート用紙をファクシミリ送信し、顧客が上記アンケート用紙に記入し、ファクシミリで返信するという流れを考える。
【０００５】
これまでのファクシミリ装置では、記入したアンケート用紙を返信する顧客が、お店から指定された返信先端末のファクシミリ番号を、その都度、手入力するので、番号の手入力作業が面倒であり、結局、アンケートが返信されない場合があるという問題がある。また、誤ダイヤルによって、お店が指定した返信先端末に返信されないという問題がある。
【０００６】
また、従来の技術で記載した原稿の余白に送信先のファクシミリ番号データのバーコードを印刷する機能を、ファクシミリ受信画像印刷時に適用したとしても、電話番号入力は顧客が行うので、課題としてはほとんど変わらない。
【０００７】
本発明は、ファクシミリ送信者が送信相手に送信した送信画像を受信側で記録媒体に記録し、この記録した記録媒体に送信相手が回答を記入する。そして、この記入された回答用紙を原稿として送信相手が返信する場合、煩雑な操作を必要とせず、しかも、誤ダイヤルを未然に防ぐことができるファクシミリ装置およびファクシミリ装置の制御方法を提供することを目的とするものである。
【課題を解決するための手段】
【０００８】
本発明は、電話回線を介してファクシミリ通信を行うためのファクシミリ通信手段と、ファクシミリ装置に各種指示を行うための操作手段と、画像データまたはファクシミリ装置の各種設定情報を記憶する記憶手段と、原稿の画像情報を読み取る読取手段と、画像データに基づいて記録媒体に画像を形成する記録手段と、二次元コードを生成する二次元コード生成手段と、二次元コードを解析する二次元コード解析手段と、上記読取手段によって得られた画像情報に、二次元コードの画像情報を合成する画像合成手段とを具備するファクシミリ装置において、ファクシミリ送信時に、上記操作手段を介して、入力された返信先情報を、上記二次元コード生成手段に二次元コード化させ、また、上記読取手段が得た画像情報に、上記返信先情報を示す二次元コードの画像情報を上記画像合成手段が合成した画像を、相手先端末にファクシミリ送信する制御手段を有することを特徴とするファクシミリ装置である。
【０００９】
また、本発明は、電話回線を介してファクシミリ通信を行うためのファクシミリ通信手段と、ファクシミリ装置に各種指示を行うための操作手段と、画像データまたはファクシミリ装置の各種設定情報を蓄積する記憶手段と、原稿の画像情報を読み取る読取手段と、画像データに基づいて記録媒体に画像を形成する記録手段と、二次元コードを生成する二次元コード生成手段と、二次元コードを解析する二次元コード解析手段と、上記読取手段によって得られた画像情報に、二次元コードの画像情報を合成する画像合成手段とを具備するファクシミリ装置において、ファクシミリ送信時に、送信原稿に付加されている送信先情報の二次元コードを、上記二次元コード解析手段に解析させ、また、上記解析された送信先ファクシミリ番号に基づいて、相手先端末にファクシミリ送信する制御手段を有することを特徴とするファクシミリ装置である。
【００１０】
さらに、本発明は、電話回線を介してファクシミリ通信を行うファクシミリ通信手段と、ファクシミリ装置に各種指示を行うための操作手段と、画像データまたはファクシミリ装置の各種設定情報を蓄積する記憶手段と、原稿の画像情報を読み取る読取手段と、画像データに基づいて記録媒体に画像を形成する記録手段と、二次元コードを生成する二次元コード生成手段と、二次元コードを解析する二次元コード解析手段と、上記読取手段が得た画像情報に、二次元コードの画像情報を合成する画像合成手段とを具備するファクシミリ装置において、ファクシミリ送信時に、ファクシミリ通信手順において、相手先端末に返信してもらう際の返信先情報を示す画像と送信画像とに、返信先情報の二次元コードの画像とを合成する旨を示す情報を送信する制御手段を有することを特徴とするファクシミリ装置である。
【００１１】
そして、本発明は、電話回線を介してファクシミリ通信を行うためのファクシミリ通信手段と、ファクシミリ装置に各種指示を行うための操作手段と、画像データまたはファクシミリ装置の各種設定情報を蓄積する記憶手段と、原稿の画像情報を読み取る読取手段と、画像データに基づいて記録媒体に画像を形成する記録手段と、二次元コードを生成する二次元コード生成手段と、二次元コードを解析する二次元コード解析手段と、上記読取手段によって得られた画像情報に、二次元コードの画像情報を合成する画像合成手段とを有するファクシミリ装置において、ファクシミリ受信時に、ファクシミリ通信手順において、返信先情報と受信画像とに返信先情報の二次元コードの画像を合成する旨を示す情報を受信した場合、上記二次元コード生成手段に返信先情報の二次元コードを生成させ、また、上記返信先情報の二次元コードの画像情報を、受信した画像情報に画像合成手段が合成した画像を、記録手段に、記録媒体に記録させる制御手段を有することを特徴とするファクシミリ装置である。
【発明の効果】
【００１２】
本発明によれば、ファクシミリ送信者が送信相手に送信した送信画像を受信側で記録媒体に記録し、この記録した記録媒体に送信相手が回答を記入する。そして、この記入された回答用紙を原稿として送信相手が返信する場合、煩雑な操作を必要とせず、しかも、誤ダイヤルを未然に防ぐことができるという効果を奏する。
【発明を実施するための最良の形態】
【００１３】
発明を実施するための最良の形態は、次の実施例である．
【実施例１】
【００１４】
図１は、本発明の実施例１であるファクシミリ装置Ｆ１を示すブロック図である。
【００１５】
ファクシミリ装置Ｆ１は、ＣＰＵ２０と、ＲＯＭ１と、ＲＡＭ２と、読取手段３と、記録手段４と、通信手段５と、操作手段６と、表示手段７と、二次元コード生成手段８と、二次元コード解析手段９と、画像合成手段１０と、バス１１とを有する。
【００１６】
ＣＰＵ２０は、各種プログラムに従って記録装置を制御する。ＲＯＭ１は、記録装置の各種制御プログラムが格納されている。ＲＡＭ２は、ＲＯＭ１内の各種制御プログラムの読み出し、装置の各種設定情報の蓄積、ファクシミリ通信で送受信する画像データの蓄積等を行うための記憶手段である。読取手段３は、原稿の画像情報を読み取る。記録手段４は、画像データに基づいて記録媒体に画像を形成する。
【００１７】
通信手段５は、ＮＣＵやモデム等で構成されるファクシミリ通信手段であり、相手先端末との間でファクシミリ通信する。操作手段６は、ファクシミリ送信時の相手先端末のファクシミリ番号入力やファクシミリ送受信開始指示、ファクシミリ装置Ｆ１の各種設定情報の変更を行う。
【００１８】
表示手段７は、ファクシミリ装置Ｆ１の各種状態を通知する。二次元コード生成手段８は、ファクシミリ送受信画像と合成する相手である返信先情報の二次元コードを生成する。二次元コード解析手段９は、読取手段３が読み取ったファクシミリ送信原稿に付加されている返信先情報の二次元コードを検出し、上記二次元コードを解析し、返信先ファクシミリ番号等を獲得する。
【００１９】
画像合成手段１０は、ファクシミリ送受信画像に、返信先情報の二次元コードを合成する。バス１１は、ＣＰＵ２０をはじめとする各種ハードウエアを相互に接続する。
【００２０】
図２は、ファクシミリ装置Ｆ１の動作を示すフローチャートであり、読取手段３が読み取った画像に、返信先情報の二次元コード画像を示す二次元コードの画像を合成した画像を、相手先端末にファクシミリ送信する動作を示すフローチャートである。
【００２１】
まず、操作手段６を介して、送信先ファクシミリ番号が入力され、またファクシミリ送信の開始指示があったかどうかをチェックする（Ｓ１）。ファクシミリ送信の開始指示があれば、送信相手が返信するときに使用する返信先情報を入力する（Ｓ２）。
【００２２】
次に、二次元コード生成手段８が、上記返信先情報の二次元コードを生成し（Ｓ３）、ファクシミリ送信する原稿の画像情報を、読取手段３が読み取る（Ｓ４）。上記返信先情報の二次元コード画像と読取画像とを、画像合成手段１０が合成する（Ｓ５）。そして、得られた合成画像を、送信先端末にファクシミリ送信する（Ｓ６）。
【００２３】
図３は、ファクシミリ装置Ｆ１の動作を示すフローチャートである。
【００２４】
つまり、図３は、送信原稿に付加されている送信先情報の二次元コードを解析し、この解析によって得られた送信先ファクシミリ番号に基づいて相手先端末にファクシミリ送信する動作を示すフローチャートである。
【００２５】
まず、操作手段６を介して、ファクシミリ送信の開始指示があったかどうかをチェックする（Ｓ１１）。このときに、Ｓ１とは違い、送信先ファクシミリ番号が入力されていなくても、送信開始指示を受け付ける。ファクシミリ送信の開始指示があれば、読取手段３が、ファクシミリ送信する原稿の画像情報を読み取る（Ｓ１２）。
【００２６】
次に、二次元コード解析手段９が、得られた画像に二次元コードが存在するかどうかをチェックする（Ｓ１３）。二次元コードが存在すれば、二次元コードを解析し、送信先ファクシミリ番号を獲得する（Ｓ１４）。
【００２７】
二次元コードが存在しなければ、表示手段７を介して、送信先ファクシミリ番号の入力を、ユーザに促し、操作手段６を介して、送信先ファクシミリ番号を入力してもらう（Ｓ１５）。送信先ファクシミリ番号が入力されると、送信先が確定するので、Ｓ１２で読み取り得られた画像を、送信先端末にファクシミリ送信する（Ｓ１６）。
【００２８】
図４は、ファクシミリ装置Ｆ１の動作を示すフローチャートである。
【００２９】
つまり、図４は、ファクシミリ送信時に、ファクシミリ通信手順において、相手先端末に返信してもらう際の返信先情報と、送信画像に返信先情報の二次元コード画像とを合成する旨を示す情報を送信する動作を示すフローチャートである。
【００３０】
まず、操作手段６を介して、送信先ファクシミリ番号が入力され、ファクシミリ送信の開始指示があったかどうかをチェックする（Ｓ２１）。ファクシミリ送信の開始指示があれば、送信相手に返信してもらうための返信先情報を入力する（Ｓ２２）。
【００３１】
次に、読取手段３が、ファクシミリ送信する原稿の画像情報を読み取る（Ｓ２３）。この読み取った読取画像をファクシミリ送信する。この場合、まず、通信手順の非標準信号で、相手先端末に返信してもらう際の返信先情報を送信し、また、返信先情報の二次元コードの画像と送信画像とを合成する旨を示す情報を送信する（Ｓ２４）。そして、読取画像を相手先端末に送信する（Ｓ２５）。
【００３２】
図５は、ファクシミリ装置Ｆ１の動作を示すフローチャートであり、ファクシミリ受信端末におけるファクシミリ受信動作を示すフローチャートである。
【００３３】
まず、ファクシミリ通信手段５が、相手先端末からの着信を検出したかどうかをチェックする（Ｓ３１）。着信を検出すれば、回線捕捉する（Ｓ３２）。次に、ＣＮＧ（コーリングトーン）信号を検出したかどうかをチェックする（Ｓ３３）。ＣＮＧ信号を検出すれば、ファクシミリ受信する（Ｓ３４）。
【００３４】
次に、ファクシミリ受信において受信した非標準信号によって、返信先情報と受信画像とに、返信先情報の二次元コードの画像を合成する旨を示す情報を検出したかどうかをチェックする（Ｓ３５）。返信先情報と受信画像とに、返信先情報の二次元コードの画像を合成する旨を示す情報を検出すれば、二次元コード生成手段８が、上記返信先情報の二次元コードを生成する（Ｓ３６）。
【００３５】
次に、画像合成手段１０が、上記返信先情報の二次元コード画像とファクシミリ受信で受信した画像とを合成する（Ｓ３７）。そして、記録手段４が、合成画像を印刷する（Ｓ３８）。しかし、Ｓ３５で、返信先情報と受信画像とに、返信先情報の二次元コードの画像を合成する旨を示す情報を検出しなければ、記録手段４が、受信画像を印刷する（Ｓ３９）。
【図面の簡単な説明】
【００３６】
【図１】本発明の実施例１であるファクシミリ装置Ｆ１を示すブロック図である。
【図２】ファクシミリ装置Ｆ１の動作を示すフローチャートであり、読取手段３が読み取った画像に、返信先情報の二次元コード画像を示す二次元コードの画像を合成した画像を、相手先端末にファクシミリ送信する動作を示すフローチャートである。
【図３】ファクシミリ装置Ｆ１の動作を示すフローチャートである。
【図４】ファクシミリ装置Ｆ１の動作を示すフローチャートである。
【図５】ファクシミリ装置Ｆ１の動作を示すフローチャートであり、ファクシミリ受信端末におけるファクシミリ受信動作を示すフローチャートである。
【符号の説明】
【００３７】
Ｆ１…ファクシミリ装置、
２０…ＣＰＵ、
１…ＲＯＭ、
２…ＲＡＭ、
３…読取手段、
４…記録手段、
５…ファクシミリ通信手段、
６…操作手段、
７…表示手段、
８…二次元コード生成手段、
９…二次元コード解析手段、
１０…画像合成手段。
【図１】
2007150788.tif 000003
【図２】
2007150788.tif 000004
【図３】
2007150788.tif 000005
【図４】
2007150788.tif 000006
【図５】
2007150788.tif 000007